(57)【特許請求の範囲】
【請求項１】
炭酸ガスが供給されるガス室の中で複数個の動物保定器を、索条部材を介して循環的に回転して小動物を麻酔した後に、ガス室の出口にて小動物を排出する小動物の屠殺用麻酔方法に於いて、前記ガス室の入口で動物保定器に小動物を保定した後、前記ガス室下部のガス濃度の濃いゾーンで本麻酔する前に、ガス濃度の薄いゾーンで前記動物保定器で保定中の小動物を予備的に麻酔する予備麻酔工程を設け、該予備麻酔工程は、前記索条部材から動物保定器の係合片からガイドレールに設けた係合アームの係合状態を解くことにより該動物保定器を索条部材から一旦離脱させてガイドレールの始端部側に動物保定器を載置する保定器離脱工程と、動物保定器をガイドレールの終端部へとスライド走行させながら小動物に炭酸ガスを吸わせる保定器摺動工程と、ガイドレールの終端部側に留まっている動物保定器の係合片に前記索条部材の係合アームを係合させることにより再び索条部材に拾い上げる保定器係止工程とを含んでいることを特徴とする小動物の屠殺用麻酔方法。
【請求項２】
請求項１において、動物保定器は、前後一対の索条部材に運搬される外側フレーム構造部材Ｏと、この外側フレーム構造部材内に上方から外方向へと回転可能に設けられた内側フレーム構造部材Ｉとから構成され、前記外側フレーム構造部材の前後端面板の外壁面には、前記索条部材の係合アームと係脱する係合片が固設されていることを特徴とする麻酔方法の動物保定器。
【請求項３】
請求項１又は請求項２に於いて、係合アームの先端部には、動物保定器の係合片と係脱するフランジ部が形成されていることを特徴とする麻酔方法の動物保定器。
【請求項４】
請求項１において、動物保定器を構成する外側フレーム構造部材Ｏの後方端面板１１及び前方端面板１２の外壁面には、左右一対のローラが設けられていることを特徴とする麻酔方法の動物保定器。
【発明の詳細な説明】
【０００１】
【発明の属する技術分野】
本発明は、小動物の屠殺用麻酔方法及び該麻酔方法の動物保定器に関し、特に二酸化炭素のガス室の中で豚などの小動物を段階的に時間をかけて麻酔する小動物の屠殺用麻酔方法及び該麻酔方法に使用される動物保定器に関する。
【０００２】
【従来の技術】
小動物の屠殺用麻酔装置としては、実公平３−１９７５２号、実公平３−１９７５３号などの公報に記載された各実施例がある。これらの実施例に開示されている共通の麻酔方法は、概ね次のとおりである。
（１）まず、炭酸ガスが供給されるガス室の中で、複数個の動物保定器を複数個の回転部材と噛合するエンドレス索条部材を介して間欠的に循環させる。
（２）次にガス室の入口まで誘導してきた小動物をガス室の入口と対向しているセッテイング待機中の空っぽ状態の動物保定器に入れ、かつ、小動物が暴れないように当該動物保定器で保定する。
（３）次に小動物を保定した前記動物保定器を入口付近のガイト部材を基準としてガス室の上部位置から下方位置へと複数個の下降用ガイド部材を利用して横方向に段階的に移行させて麻酔する。
（４）最後にガス室の最も下部のガイド部材を通過した動物保定器を上方方向へとストレートに案内し、ガス室の出口にて保定中の小動物を受取りテーブルへと排出する。
【０００３】
上記麻酔方法は、上方から下方へ向かって横方向に段階的に配設した複数個の下降用ガイド部材を利用して小動物をゆっくりと麻酔するので、肝臓、心臓などに「うっ血状態」が生じないと言う利点がある。しかし、複数個の動物保定器は、索条部材に所定間隔を有して取付けられているので、小動物を所望するガスゾーン（例えばガス濃度の濃いゾーンと薄いゾーンの境界的部分）で、かつ、所望時間だけ予備的に麻酔をするという目的を設定すると、下降用ガイド部材を横方向に所要間隔を設定して複数個配設しなければならず、その結果、ガス室が横方向に大型化し、また使用するガス量もガス室の大きさに比例して増大化するという問題点があった。
【０００４】
ところで、ガス室を小型化し、或いはガスの使用量を減らすためには、例えば動物保定器をストレートに下降し、ガス室内の濃度の濃いゾーンで麻酔した後に、そのまま動物保定器をストレートに持ち上げ、麻酔済の小動物をガス室の出口から受取りテーブルへと排出する方法も提案されている（外国製のもの）。
【０００５】
しかしながら、小動物をストレートに下降させる直下型の麻酔方法は、ガス室を縦型にコンパクト化することができる利点を有するが、多数の小動物を循環的に移動させて麻酔することができないので、小動物を次々と効率的に麻酔することができないという問題点がある。また麻酔時間を短縮するために動物保定器をガス室の濃度の濃いゾーンへ短時間に下降させ、急激に小動物を麻酔すると、小動物の内臓（肝臓、心臓など）に「うっ血状態」が生じるという問題点がある。
【０００６】
この問題点についてさらに詳しく説明する。外国製直下型の麻酔方法の特徴は、小動物（例えば豚）をガス室の入口前のステージまで誘導してきたら、小動物を動物支持箱に入れ、そこから一気にガス室中の濃度の高い部分（ガス室の下部）へと落下する。
【０００７】
その結果、小動物は急激な酸素不足を起こす。この急激な酸素不足は、小動物の血液内に異常を来たし（血液が黒ずむ現象を引き起こし）、屠殺後の屠体に対して血液黒化現象と共に、屠体青化現象を呈することになる。これらの現象は、特に枝肉、内蔵にその影響をもろに表現し、消費者にとって、外観上、いわゆる「死んだ青さをにじませる」ので、これにより不気味感を彷彿させ、食文化日本のニーズに適合しないものになっている。
【０００８】
また急激な酸素不足は、小動物の循環機能に急遽の呼吸障害を引き起こし、循環器の心臓、肝臓が異常事態の機能障害から、血管が破裂して「うっ血」を生じさせる。このうっ血現象（斑点うっ血）は、解体された内蔵としての製品価値を減退化させる要因となっている。
【０００９】
何故ならば、ここ日本の食文化では、斑点うっ血は、前述した不気味感、非新鮮感などの理由から消費者に馴染まないものとなっているからである。その結果、外国製直下型の麻酔方法は、日本の食文化ないし日本人の感覚に合わず、需要の道を閉ざすという問題点を抱えている。
【００１０】
そこで、現在、日本の食文化ニーズにマッチした内蔵（自然な色の肝臓、心臓など）を得ることができる国産製小動物の屠殺用麻酔方法の出現が要望されている。それと共に、ガス室の小型化、ガス使用量の減少化などを図ることができる麻酔装置或いは麻酔方法も期待されている。
【００１１】
【発明が解決しようとする課題】
本発明は、以上のような従来の問題点に鑑み、第１の目的は、日本の食文化ニーズにマッチした内蔵を得ることができる国産製小動物の屠殺用麻酔方法を提供することである。第２の目的は、多数の小動物を効率的に麻酔することができることである。第３の目的は、ガス室の小型化、ガス使用量の減少化などを図ることができることである。
【００１２】
【課題を解決するための手段】
本発明の小動物の屠殺用麻酔方法は、炭酸ガスが供給されるガス室の中で複数個の動物保定器を、索条部材を介して循環的に回転して小動物を麻酔した後に、ガス室の出口にて小動物を排出する小動物の屠殺用麻酔方法に於いて、前記ガス室の入口で動物保定器に小動物を保定した後、前記ガス室下部のガス濃度の濃いゾーンで本麻酔する前に、ガス濃度の薄いゾーンで前記動物保定器で保定中の小動物を予備的に麻酔する予備麻酔工程を設け、該予備麻酔工程は、前記索条部材から動物保定器の係合片からガイドレールに設けた係合アームの係合状態を解くことにより該動物保定器を索条部材から一旦離脱させてガイドレールの始端部側に動物保定器を載置する保定器離脱工程と、動物保定器をガイドレールの終端部へとスライド走行させながら小動物に炭酸ガスを吸わせる保定器摺動工程と、ガイドレールの終端部側に留まっている動物保定器の係合片に前記索条部材の係合アームを係合させることにより再び索条部材に拾い上げる保定器係止工程とを含んでいることを特徴とする。
【００１３】
上記構成において、動物保定器は、前後一対の索条部材に運搬される外側フレーム構造部材Ｏと、この外側フレーム構造部材内に上方から外方向へと回転可能に設けられた内側フレーム構造部材Ｉとから構成され、前記外側フレーム構造部材の前後端面板の外壁面には、前記索条部材の係合アームと係脱する係合片が固設されていることを特徴とする。また、係合アームの先端部には、動物保定器の係合片と係脱するフランジ部が形成されていることを特徴とする。さらに、動物保定器を構成する外側フレーム構造部材Ｏの後方端面板１１及び前方端面板１２の外壁面には、左右一対のローラが設けられていることを特徴とする。
【００１４】
【発明の実施の形態】
まず、図１及び図２により本発明の方法に用いられる麻酔装置Ｘについて簡単に説明する。この麻酔装置Ｘは屠殺用小動物Ｐ、例えば豚Ｐを二酸化炭素で麻酔する際に使用される。麻酔装置Ｘは、小動物Ｐの入口１および出口２とが形成されたガス室３と、このガス室３に設けられた図示しない駆動源と、この駆動源によりガス室内で回転するエンドレス索条部材４と、ガス室内に所要間隔を有して配設され、かつ、索条部材４を案内する複数個の回転部材（例えばスプロケット）５と、前記索条部材４に所定間隔を有して離脱可能に設けられた複数個の動物保定器（以下、「保定器」という。）Ｙと、ガス室下部側のガス濃度の濃いゾーンＳ１に対するガス室上部側のガス濃度の薄いゾーンＳ２にやや傾斜状態に配設され、かつ、前記索条部材４から離脱した動物保定中の保定器Ｙを一時的に受取るガイドレール６などを備えている。
【００１５】
また、ガス室３内の入口１付近には、追込通路側のステージＦから前記入口１を介してセッテイング待機中の空っぽの保定器Ｙに入り込んだ小動物Ｐを一旦支持する支持装置７が配設されている。この支持装置７は、図２で示すように、ガス室３内に適宜に固設された支持台８の上面に垂直方向に設けられた縦方向シリンダ９と、この縦方向シリンダ９の作動杆１０の突出上端部に水平状態に固定され、かつ、前記保定器Ｙに入り込んだ小動物Ｐの脚を受ける昇降式受板１０ａとから成る。
【００１６】
ところで、この麻酔装置Ｘには炭酸ガスが供給される。炭酸ガスの供給方法については発明の特定要件ではないので特に説明しないが、例えば実公平３−１９７５２号公報に記載されているように、ガス室３内の下部側空間から上部側空間にかけて異なる濃度のガスゾーンＳ１，Ｓ２を形成する複数個のガス供給管がガス室に適宜に配設されている。
【００１７】
したがって、ここでは、説明の便宜上、ガス室下部側のガス濃度の濃いゾーンＳ１と、ガス室上部側のガス濃度の薄いゾーンＳ２とに区分けして説明する。本実施例では、ガス室の一番下方に配設された回転部材（スプロケット）５Ａ，５Ａの付近が、つまり、ガス室３の下部側空間が濃いゾーンＳ１である。これに対して動物保定器受取用ガイドが配設されているガス室３の上部側空間が薄いゾーンＳ２である。後者の薄いゾーンＳ２に関しては、ガス供給管の数や配設態様によってはガス室３の中央部ということもあり得る。
【００１８】
それ故に、複数個の保定器Ｙは、炭酸ガスが供給され、かつ、異なる濃度のガスゾーンが形成されたガス室３の中で、複数個の回転部材５Ａ，５Ａと噛合するエンドレス索条部材を介して循環的に移行する。
【００１９】
次に図３及び図４により前記麻酔装置Ｘに使用される保定器Ｙの一実施例を説明する。この保定器Ｙはガス室３の入口１から入って来る小動物Ｐを固定的に保持する構造であり、前後一対の索条部材４，４に運搬される外側フレーム構造部材Ｏと、この外側フレーム構造部材内に上方から外方向へと回転可能に設けられた内側フレーム構造部材Ｉとから構成されている。
【００２０】
そこで、まず外側フレーム構造部材Ｉから説明する。１１、１２は所定間隔を有して対向する前後の端面板である。これらの端面板の内、符号１１は、図２を基準とした場合、右側が小動物Ｐの入口１側に対面する後方端面板であり、適当な大きさの開口部１３を有している。この開口部１３は、空っぽ状態の保定器Ｙが、後述の保定器セッテイング工程Ｅで一時停止した時に、ガス室３の入口１と対向する。
【００２１】
一方、左側は前方端面板１２である。「ここで後方端面板１１」とは、保定器Ｙ内に小動物Ｐが入った場合、そのお尻側に位置する垂直フレームを意味する。したがって、前方端面板１２には小動物Ｐの頭が来る。
１４は各端面板１１、１２の左側中央部に形成された前後一対の係合切欠部である。これらの係合切欠部１４には、後述する内側フレーム構造部材Ｉの係合手段３３の突出端部が係合する。１５は前後の端面板１１、１２の上方部分を連結する複数本の連結棒である。連結棒は柵状に横架され、一番上方の連結棒は、他の連結棒よりも径が太い。
【００２２】
１６は前後の端面板１１、１２の一方側の下部に横設軸架された下方枢支軸である。この下方枢支軸１６は、内側フレーム構造部材Ｉの対向フレームの一方側下端部を貫通している。
１７は後方端面板１１及び前方端面板１２の各外壁面上部寄りの部位に支軸を介して取付けられた左右一対のローラである。したがって、保定器Ｙは計４個の走行ローラ１７を備えている。
【００２３】
１８は同じく後方端面板１１及び前方端面板１２の外壁面の上部に固定的に設けられた前後一対の山形状係合片である。この係合片１８は前記走行ローラ１７よりも外方向に多少オフセットした状態で突出している。また係合片１８は、その外側縁部に下向きの係止枠部１９を有している。
【００２４】
ところで、保定器Ｙの前後の端面板に一対の係合片１８を設けた理由は、ガス室３の境界的ゾーンＳ２にやや傾斜状態に配設されたガイドレール６に保定器Ｙを一旦切り離して置き、所要時間経過後、索条部材４から離脱した当該保定器Ｙを再び移動中の索条部材４で吊り上げるためである。
そこで、本実施例の左右の索条部材４，４には、複数本の突出係合アーム２１が所定間隔を有して設けられている。しかして、図９で示すように突出係合アーム２１の先端部には、前述した保定器Ｙの係合片１８と確実に係脱するようにフランジ部２２が形成されている。
【００２５】
次に内側フレーム構造部材Ｉについて説明する。この内側フレーム構造部材Ｉは、保定器Ｙに入り込んだ小動物Ｐを直接保持する動物保持体としての機能を有する。
しかして、３１、３２は前述した端面板１１、１２の内壁と対向する前後のフレーム板である。外側フレーム構造部材の端面板１１、１２に対応して言えば、符号３１は後方フレーム板であり、一方、３２は前方フレーム板である。これらのフレーム板３１，３２は、端面板１１、１２よりも高さ寸法が短く設定されており、一方側の上端部はやや先細り状となっている。
【００２６】
３３は前記先細り状の上端部に横設され、かつ、突出両端部３３ａ，３３ａが前述した係合切欠部１４，１４に係脱する係合棒である。この係合棒３３は、ガス室３の出口２付近に設けらたれガイド手段あるいは被係合手段と係脱可能である。
【００２７】
３４は後方フレーム板３１に形成されたやや大きなＵ字型状の入口切欠部で、この入口切欠部３４は、後方端面板１１の開口部１３と連通状態に対向する。
３６、３７はフレーム板３１，３２の内壁面に直交するように固定され、かつ、下方に小動物Ｐの足が入り込む下方間隙３８を有する左右で１組の保定側板である。左右の保定側板３６，３７は小動物Ｐの胴体の下側を挟持することができるようにそれぞれ弧状に形成されている。また左側の保定側板３６の上端部は、係合棒３３を基準にして傾斜状の案内部となっている。
なお、前記係合手段３３の突出両端部には、小ローラ３９が設けられている。また、フレーム板３１，３２の一方側の下部には、下方枢支軸１８用の貫通孔４０が形成されている。
【００２８】
そこで、上述した麻酔装置Ｘ及び動物保定器Ｙを利用した本発明の麻酔方法について、図５ないし図１３を参照に説明する。図５は本発明の全体の工程図である。
【００２９】
まず、複数個の保定器Ｙは、炭酸ガスが供給されるガス室３の中で、複数個の回転部材５と噛合するエンドレス索条部材４を介して間欠的に回転している。これが本発明の前提条件である。
【００３０】
図５に於いて、Ａはガス室３の入口１で一時停止している空っぽの保定器Ｙに小動物Ｐを入れかつ該小動物Ｐを保定する動物保定工程である。この動物保定工程Ａでは、図６で示すように小動物Ｐは追い込み通路と繋がっているステージＦからガス室３の入口１を介してセッテイング待機中の保定器Ｙへと入り込む。この時支持装置７の作動杆１０は伸長している。したがって、その受板１０ａは保定器Ｙの下端面に当接している。このセッテイング状態の保定器Ｙに小動物Ｐが入り込んだならば、縦方向シリンダ８の作動杆９が収縮する。
そうすると、小動物Ｐは受板１０の下降にしたがって下降し、左右の保定側板３６，３７にその胴体が支持される。図７は、小動物Ｐが左右の保定側板３６，３７の下端から脚がぶら下がった状態で保定器Ｙに保定されている状態を示している。
【００３１】
Ｂはガス濃度の境界的ゾーンＳ２でガイドレール６を利用して所定時間だけ小動物を麻酔する予備麻酔工程である。この予備麻酔工程Ｂでは、（１）索条部材４から保定器Ｙを一旦離脱させて、ガス濃度の境界的ゾーンＳ２に配設された一対のガイドレール６の始端部に保定器Ｙを載置する保定器離脱工程ｂ１と、（２）保定器Ｙをガイドレール６のストッパー部６ａを有する終端部へとスライド走行させながら保定中の小動物Ｐに炭酸ガスを吸わせる保定器摺動工程ｂ２と、（３）ガイドレール６の終端部に留まっている保定器Ｙを再び索条部材４で拾い上げる保定器係止工程ｂ３とを含んでいる。
【００３２】
しかして、図８及び図９は保定器離脱工程ｂ１の概略図である。この工程ｂ１では、ガイドレール６の始端部側に保定器Ｙの走行ローラ１７が乗ると、索条部材４の係合アーム２１は下方方向へ移行するので、該係合アーム２１は保定器Ｙの山形状係合片１８から自然に離れる。これにより、今まで索条部材４によって吊り下げられていた保定器Ｙは自由になり、走行可能な状態と成る。
【００３３】
また図１０及び図１１は保定器摺動工程ｂ２の概略図である。この工程ｂ２では、ガイドレール６の始端部側からストッパー部６ａを有する終端部側まで保定器Ｙが摺動するが、本実施例では合計３器の保定器Ｙがガイドレール６に乗っかる格好となっている。前述したように索条部材４は間欠的にガス室３内を循環する。
したがって、例えばスキー場のリフトに見られるように、ガイドレール６の終端部側に留まっている保定器Ｙが索条部材４に吊り上げられると、その空いたスペースに向かって次の保定器Ｙが終端部へと移行するという具合になる。
【００３４】
図１２は保定器吊り上げ工程ｂ３の概略図である。この工程ｂ３では、保定器離脱工程ｂ１とは逆に索条部材４の係合アーム２１が上方方向へと移行してくる。したがって、係合アーム２１が保定器Ｙの山形状係合片１８に係合すると、保定器Ｙは係合アーム２１を介して索条部材４に吊り上げられる。
【００３５】
Ｃは、ガス濃度の濃いゾーンＳ１へと保定器Ｙを下げ、小動物Ｐを本麻酔する本麻酔工程である。この本麻酔工程Ｃにおいて、保定器Ｙは、図１で示すようにガス室３の下部に少なくとも２個配設した回転部材５Ａ，５Ａを介して水平移行する。
【００３６】
Ｄは、前記本麻酔工程Ｃの後に、保定器Ｙをガス室３の出口２まで上昇させ、出口２付近に設けられた図示しない係合手段を上昇中の保定器の係合棒３３に係合させ、かつ、内側フレーム構成部材Ｉを上方側から回転させ、麻酔済みの小動物Ｐをガス室３の外に設けられた受取りテーブルＴに排出する小動物排出工程である。
【００３７】
Ｅは、空っぽ状態の保定器Ｙをガス室３の入口１と対向させる保定器セッテイング工程である。小動物Ｐをガス室３の出口２から受取りテーブルＴへと排出すると、当該保定器Ｙは「空っぽ」の状態となる。  そこで、空っぽ状態の保定器Ｙは、ガス室３の入口１付近へと移動し、ガス室３の入口１にその後方端面板１１の開口部１３が対向すると、その場で所要時間一時停止する。
しかして、空っぽの保定器Ｙがガス室３の入口１で一時停止すると、縦方向シリンダ７の作動杆１０が伸長し、受板１０ａが当該保定器Ｙの下端面に当接する。なお、上記縦方向シリンダ８の作動杆９の伸長時期、収縮時期等は、図示しないリミットスイッチの検知信号を処理する制御手段によってなされる。
【００３８】
【実施例】
予備麻酔工程Ｂの保定器離脱工程ｂ１から保定器係止工程ｂ３までに要する所要時間は、内臓にうっ血状態を生じさせないという発明の目的との関係では、望ましくは２０秒〜６０秒程度である。また、予備麻酔工程Ｂにおいて、本実施例ではガイドレール６に計３台乗せているが、この３台は一応の目安であり、その数を限定するものではない。したがって、小動物Ｐの内臓にうっ血状態を生じさせないという発明の目的との関係では、ガイドレール６に一台だけを所要時間乗せ、又は、４台或いは５台を横方向に乗せることもできる。
【００３９】
【発明の効果】
以上の説明から明らかなように、本発明は、ガス室の入口で動物保定器に小動物を保定した後、ガス濃度の薄いゾーンに配設された動物保定器受取用ガイドレールに運搬中の動物保定器を順番に前記索条部材から一旦切り離して載せ、所要時間小動物を予備麻酔した後に再び前記索条部材を介して動物保定器をガイドレールから自動的に拾い上げ、ガス室下部のガス濃度の濃いゾーンへと動物保定器を下げて小動物の本麻酔をするので、外国製の直下型の麻酔方法とは相違し、日本の食文化ニーズにマッチした内蔵（自然な色の肝臓、心臓など）を得ることができると共に、多数の小動物を効率的に麻酔することができる。また、ガス濃度の薄いゾーンに動物保定器受取用ガイドレールを配設したので、ガス室の小型化、ガス使用量の減少化などを図ることができる。なお、該麻酔方法に使用される動物保定器は、小動物を安定的に保持することができると共に、受取用ガイドレールに載せることができる。特に請求項４に記載の発明は、左右一対のローラを有するので、受取用ガイドレールをスムースに滑動する。
【図面の簡単な説明】
【図１】本発明の方法に用いられる麻酔装置の概略説明図。
【図２】麻酔装置の支持装置と動物保定器の位置関係を示す概略説明図。
【図３】麻酔装置に使用される動物保定器と支持装置を示す斜視図。
【図４】動物保定器の分解斜視図。
【図５】本発明の方法の一実施例を示す工程図。
【図６】動物保定工程直前の概略説明図。
【図７】動物保定工程の概略説明図。
【図８】予備麻酔工程の保定器離脱工程を示す概略説明図。
【図９】予備麻酔工程において、保定器離脱工程の具体的内容を示す説明図。
【図１０】予備麻酔工程において、保定器摺動工程を示す概略説明図。
【図１１】予備麻酔工程において、保定器摺動工程の具体的内容を示す説明図。
【図１２】予備麻酔工程において、保定器係止工程を示す概略説明図。
【符号の説明】
Ｘ…麻酔装置、Ｐ…小動物、Ｙ…動物保定器、Ｆ…ステージ、Ｓ１…濃いゾーン、Ｓ２…境界的ゾーン、Ｓ３…薄いゾーン、Ａ…動物保定工程、Ｂ…予備麻酔工程、ｂ１…保定器離脱工程、ｂ２…保定器摺動工程、ｂ３…保定器係止工程、Ｃ…本麻酔工程、Ｄ…小動物排出工程、Ｅ…保定器セッテイング工程、１…入口、２…出口、３…ガス室、４…索条部材、５…回転部材、６…ガイドレール、６ａ…ストッパー部、７…支持装置、８…支持台、９…縦方向シリンダ、１０…作動杆、１０ａ…受板、Ｏ…外側フレーム構成部材、Ｉ…内側フレーム構成部材、１１…後方端面板、１２…前方端面板、１３…開口部、１４…係合切欠部、１５…連結棒、１６…下方枢支軸、１７…走行ローラ、１８…係合片、１９…係止枠部、２１…突出係合アーム、２２…フランジ部、３１…後方フレーム板、３２…前方フレーム板、３３…係合棒、３４…入口切欠部、３６，３７…保定側板。
【図１】
0004764572.tif 000002
【図２】
0004764572.tif 000003
【図３】
0004764572.tif 000004
【図４】
0004764572.tif 000005
【図５】
0004764572.tif 000006
【図６】
0004764572.tif 000007
【図７】
0004764572.tif 000008
【図８】
0004764572.tif 000009
【図９】
0004764572.tif 000010
【図１０】
0004764572.tif 000011
【図１１】
0004764572.tif 000012
【図１２】
0004764572.tif 000013